(57)【要約】      （修正有）【課題】初めて見た人でも、その意味が理解できるように絵記号を表示するためにより誤解を生じにくい絵記号の表示を可能とするための技術を提供すること。【解決手段】見る者に対して伝達すべき伝達意味を表す絵記号である本絵記号１２と、伝達意味と関連する他の意味を表す絵記号である付加絵記号１１とを、近い領域にそれぞれ表示する。付加絵記号上には、その意味が伝達意味ではないことを示す否定記号１１１を表示する。また、見る者に対して伝達すべき伝達意味を表す絵記号である本絵記号と、付加絵記号とを時系列で順に表示し、前記付加絵記号を表示する全ての時間又は一部の時間では、その意味が伝達意味ではないことを示す否定記号を前記付加絵記号上に表示する。【選択図】図１
2013113960.tif 000002
【特許請求の範囲】
【請求項１】
見る者に対して伝達すべき伝達意味を表す絵記号である本絵記号と、前記伝達意味と関連する他の意味を表す絵記号である付加絵記号とを、近い領域にそれぞれ表示し、
前記付加絵記号上には、その意味が伝達意味ではないことを示す否定記号を表示する表示方法。
【請求項２】
表面に絵記号を表示する表示媒体であって、
見る者に対して伝達すべき伝達意味を表す絵記号である本絵記号と、前記伝達意味と関連する他の意味を表す絵記号である付加絵記号とを、近い領域にそれぞれ表示し、
前記付加絵記号上には、その意味が伝達意味ではないことを示す否定記号を表示する表示媒体。
【請求項３】
見る者に対して伝達すべき伝達意味を表す絵記号である本絵記号と、前記伝達意味と関連する他の意味を表す絵記号である付加絵記号とを時系列で順に表示し、前記付加絵記号を表示する全ての時間又は一部の時間では、その意味が伝達意味ではないことを示す否定記号を前記付加絵記号上に表示する表示方法。
【請求項４】
見る者に対して伝達すべき伝達意味を表す絵記号である本絵記号と、前記伝達意味と関連する他の意味を表す絵記号である付加絵記号とを、それぞれ対応付けて記憶するデータ記憶部と、
前記本絵記号と、前記本絵記号に対応する前記付加絵記号とを前記データ記憶部から読み出し、それぞれの絵記号を時系列で順に表示し、前記付加絵記号を表示する全ての時間又は一部の時間では、その意味が伝達意味ではないことを示す否定記号を前記付加絵記号上に表示する制御部と、
を備える表示装置。
【発明の詳細な説明】
【技術分野】
【０００１】
本発明は、人間に対して視覚的に意味を伝える画像の表示方法に関する。
【背景技術】
【０００２】
絵記号（Pictogram（ピクトグラム）、絵単語、絵文字）は、様々な家電製品や通信機器などに利用されている。具体的には、絵記号は、操作ボタンやインタフェース部分などに、操作内容などを表すために配置されている。このような絵記号に関する技術については、非特許文献１や非特許文献２に開示されている。
【０００３】
図５は、従来の絵記号の表示例を示す図である。
絵記号１００−１は、汗をかいている人がタオルを右手に持っている姿を表しており、暑いことを表現している。例えば、非常に暑い施設への入口や、暑い国への旅行情報を表示するパンフレットなどに配置された絵記号１００−１は、それを見た人に対して、暑いという概念を伝達する。
【０００４】
絵記号１００−２は、直立した男性の全身の姿を現しており、男性を表現している。例えば、男性用便所の入口や、男性用の商品が陳列された棚などに配置された絵記号１００−２は、それを見た人に対して男性用という概念を伝達する。
絵記号１００−３は、箱から１枚の紙が上方へ向けて出ている様子を表しており、ティッシュペーパーを表現している。例えば、ティッシュペーパー売り場や、ティッシュペーパーの外装などに配置された絵記号１００−３は、それを見た人に対してティッシュペーパーという概念を伝達する。
このように、絵記号を付すことによって、それを見た者に対して容易に何かしらの意味を伝えることが可能となる。例えば、「犬」のように名前を絵記号で表現する場合は、表現したいそのもの（この場合は犬）を具象的に描くことで、容易に理解可能な絵記号を表示することができる。
【先行技術文献】
【非特許文献】
【０００５】
【非特許文献１】日本工業規格、「コミュニケーション支援用絵記号デザイン原則(JIS T 0103)」、http://www.jisc.go.jp/app/pager?id=25897
【発明の概要】
【発明が解決しようとする課題】
【０００６】
しかしながら、初めて見た人でも、その意味が理解できるように絵記号を表示することは困難な場合がある。例えば、「尋ねる」という動作や、「妬む」のような精神活動の動作を理解可能に表示することは困難である。そのため、絵記号によっては見る者に誤解を与えてしまう場合がある。
上記事情に鑑み、本発明は、より誤解を生じにくい絵記号の表示を可能とする技術を提供することを目的としている。
【課題を解決するための手段】
【０００７】
本発明の一態様は、見る者に対して伝達すべき伝達意味を表す絵記号である本絵記号と、前記伝達意味と関連する他の意味を表す絵記号である付加絵記号とを、近い領域にそれぞれ表示し、前記付加絵記号上には、その意味が伝達意味ではないことを示す否定記号を表示する表示方法である。
【０００８】
本発明の一態様は、表面に絵記号を表示する表示媒体であって、見る者に対して伝達すべき伝達意味を表す絵記号である本絵記号と、前記伝達意味と関連する他の意味を表す絵記号である付加絵記号とを、近い領域にそれぞれ表示し、前記付加絵記号上には、その意味が伝達意味ではないことを示す否定記号を表示する表示媒体である。
【０００９】
本発明の一態様は、見る者に対して伝達すべき伝達意味を表す絵記号である本絵記号と、前記伝達意味と関連する他の意味を表す絵記号である付加絵記号とを時系列で順に表示し、前記付加絵記号を表示する全ての時間又は一部の時間では、その意味が伝達意味ではないことを示す否定記号を前記付加絵記号上に表示する表示方法である。
【００１０】
本発明の一態様は、見る者に対して伝達すべき伝達意味を表す絵記号である本絵記号と、前記伝達意味と関連する他の意味を表す絵記号である付加絵記号とを、それぞれ対応付けて記憶するデータ記憶部と、前記本絵記号と、前記本絵記号に対応する前記付加絵記号とを前記データ記憶部から読み出し、それぞれの絵記号を時系列で順に表示し、前記付加絵記号を表示する全ての時間又は一部の時間では、その意味が伝達意味ではないことを示す否定記号を前記付加絵記号上に表示する制御部と、を備える表示装置である。
【発明の効果】
【００１１】
本発明により、より誤解を生じにくい絵記号の表示が可能となる。
【図面の簡単な説明】
【００１２】
【図１】本発明の第１実施形態の表示例を示す図である。
【図２】本発明の第２実施形態の表示装置の機能構成を表す概略ブロック図である。
【図３】画像データテーブルの具体例を示す図である。
【図４】制御部による表示制御の具体例を示す図である。
【図５】従来の絵記号の表示例を示す図である。
【発明を実施するための形態】
【００１３】
［第１実施形態］
図１は、本発明の第１実施形態の表示例を示す図である。本発明の第１実施形態では、絵記号を見る者（以下、「観察者」という。）に対して伝達すべき本来の意味（以下、「伝達意味」という。）を表す絵記号（以下、「本絵記号」という。）とともに、他の意味を表す絵記号（以下、「付加絵記号」という。）を表示する。付加絵記号には、その意味を否定する記号（以下、「否定記号」という。）１１１を付加して表示する。そのため、観察者は、伝達意味は、付加絵記号から連想される意味ではないことを容易に判断することができる。
【００１４】
各絵記号は、表示媒体上に表示される。表示媒体は、その表面に絵記号を表示できればどのような媒体であっても良い。例えば、表示媒体は、シート状の紙やプラスチックや木材などであっても良いし、ボタン等の部品であっても良いし、その他の物体であっても良い。表示媒体がこのような物体である場合は、絵記号は、例えば表示媒体上に印刷やシールの添付などによって表示される。また、表示媒体は、液晶ディスプレイ等の表示装置であっても良い。表示媒体がこのような装置である場合は、電子制御によって絵記号が表示媒体上に表示される。
【００１５】
付加絵記号として用いられる絵記号は、本絵記号と関連する意味を表す絵記号である。例えば、本絵記号と対義語の意味を表す絵記号（例えば右と左、善と悪）、本絵記号と類似した意味を表す絵記号（例えばティッシュペーパーとトイレットペーパー）、本絵記号を連想可能な意味を表す絵記号（例えばスプーンとフォーク）等が付加絵記号として表示される。
【００１６】
観察者によっては、本絵記号を見た際に伝達意味とは異なった意味を連想する場合がある。このような場合、伝達意味とは異なる意味で絵記号が解釈されてしまうため、観察者に対して誤解を生じさせてしまうおそれがある。そこで、本願発明の第１実施形態では、本絵記号の近傍に付加絵記号を表示することによって問題を解決している。付加絵記号を見た観察者は、上述したように伝達意味は付加絵記号の意味ではないと容易に判断できる。その上で、付加絵記号の近傍に表示されている本絵記号を見ることによって、付加絵記号の意味との関連性から、本絵記号の意味（伝達意味）を容易に判断することができる。そのため、より誤解を生じにくい絵記号の表示が可能となる。
【００１７】
図１の具体例を用いて説明する。「暑い」という伝達意味を表す本絵記号１２−１は、対義語の意味（「寒い」という意味）を表す付加絵記号１１−１とともに表示される。付加絵記号１１−１の表面には、否定記号としてバツ印（×）１１１が表示される。
【００１８】
本絵記号１２−１のみが表示された場合、正しい意味である「暑い」を連想する者もいるが、見る者によっては「汗」、「湿度が高い」、「泣く」のように、伝達意味とは異なった意味も連想してしまう場合がある。しかし、本願発明の第１実施形態では、本絵記号１２−１の近傍に付加絵記号１１−１が表示される。付加絵記号１１−１は「寒い」を意味しているため、付加絵記号１１−１を見た者は「寒い」という意味ではないと容易に判断できる。その上で、付加絵記号１１−１の近傍に表示されている本絵記号１２−１を見た観察者は、例え本絵記号１２−１から上述したような複数の意味（「暑い」、「汗」、「湿度が高い」、「泣く」など）を連想したとしても、「寒い」と関連した「暑い」という意味が伝達意味であることを容易に判断することができる。そのため、より誤解を生じにくい絵記号の表示が可能となる。
【００１９】
「男性」という伝達意味を表す本絵記号１２−２は、対義語の意味（「女性」という意味）を表す付加絵記号１１−２とともに表示される。付加絵記号１１−２の表面には、否定記号としてバツ印（×）１１１が表示される。
【００２０】
本絵記号１２−２のみが表示された場合、正しい意味である「男性」を連想する者もいるが、見る者によっては「人（性別によらず人間全般）」、「大人」、「直立」のように、伝達意味とは異なった意味も連想してしまう場合がある。しかし、本願発明の第１実施形態では、本絵記号１２−２の近傍に付加絵記号１１−２が表示される。付加絵記号１１−２は「女性」を意味しているため、付加絵記号１１−２を見た者は「女性」という意味ではないと容易に判断できる。その上で、付加絵記号１１−２の近傍に表示されている本絵記号１２−２を見た観察者は、例え本絵記号１２−２から上述したような複数の意味（「男性」、「人（性別によらず人間全般）」、「大人」、「直立」など）を連想したとしても、「女性」と関連した「男性」という意味が伝達意味であることを容易に判断することができる。そのため、より誤解を生じにくい絵記号の表示が可能となる。
【００２１】
「ティッシュペーパー」という伝達意味を表す本絵記号１２−３は、類似した商品の意味（「トイレットペーパー」という意味）を表す付加絵記号１１−３とともに表示される。付加絵記号１１−３の表面には、否定記号としてバツ印（×）１１１が表示される。
【００２２】
本絵記号１２−３のみが表示された場合、正しい意味である「ティッシュペーパー」を連想する者もいるが、見る者によっては「紙（形態によらず紙全般）」、「ウェットティッシュ」、「鼻をかむ」のように、伝達意味とは異なった意味も連想してしまう場合がある。しかし、本願発明の第１実施形態では、本絵記号１２−３の近傍に付加絵記号１１−３が表示される。付加絵記号１１−３は「トイレットペーパー」を意味しているため、付加絵記号１１−３を見た者は「トイレットペーパー」という意味ではないと容易に判断できる。その上で、付加絵記号１１−３の近傍に表示されている本絵記号１２−３を見た観察者は、例え本絵記号１２−３から上述したような複数の意味（「ティッシュペーパー」、「紙（形態によらず紙全般）」、「ウェットティッシュ」、「風呂」など）を連想したとしても、「トイレットペーパー」と関連した「ティッシュペーパー」という意味が伝達意味であることを容易に判断することができる。そのため、より誤解を生じにくい絵記号の表示が可能となる。
【００２３】
＜変形例＞
図１の例では、付加絵記号１１は本絵記号１２の左隣に少しの間隔をおいて表示されているが、付加絵記号１１の表示位置はこれに限定される必要は無い。付加絵記号１１は、ともに表示される本絵記号１２と関連している絵記号であることが観察者に伝わる態様であれば、どのように表示されても良い。例えば、付加絵記号１１の表示位置は、本絵記号１２の右隣や上方又は下方や斜めの位置であっても良い。
【００２４】
図１の例では、一つの本絵記号１２に対して一つの付加絵記号１１を表示しているが、一つの本絵記号１２に対して複数の付加絵記号１１を表示しても良い。また、同一の伝達意味を表す複数の本絵記号１２に対して一つの付加絵記号１１を表示しても良い。また、同一の伝達意味を表す複数の本絵記号１２に対して複数の付加絵記号１１を表示しても良い。
【００２５】
図１の例では、否定記号１１１の具体例としてバツ印を表示しているが、否定の意図が観察者に伝わる記号であれば他の記号であってもよい。
図１の例では、本絵記号１２はそのまま表示しているが、肯定の意味を表す記号（肯定記号）がその表面に表示されても良い。例えば、本絵記号１２の上に、丸印（○）が表示されても良い。
【００２６】
［第２実施形態］
図２は、本発明の第２実施形態の表示装置２０の機能構成を表す概略ブロック図である。第２実施形態の表示装置２０は、付加絵記号１１と本絵記号１２とを時系列で表示する。
【００２７】
表示装置２０は、バスで接続されたＣＰＵ（Central Processing Unit）やメモリや補助記憶装置などを備え、表示プログラムを実行する。表示装置２０は、表示プログラムの実行により、表示部２１、データ記憶部２２、制御部２３を備える装置として機能する。なお、表示装置２０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。表示プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。表示プログラムは、電気通信回線を介して送信されても良い。
【００２８】
表示部２１は、ＣＲＴ（Cathode Ray Tube）ディスプレイ、液晶ディスプレイ、有機ＥＬ（Electro Luminescence）ディスプレイ等の画像表示装置である。表示部２１は、本絵記号１２の画像データや付加絵記号１１の画像データを表示する。表示部２１は、画像表示装置を表示装置２０に接続するためのインタフェースであっても良い。この場合、表示部２１は、本絵記号１２の画像データや付加絵記号１１の画像データを表示するための映像信号を生成し、自身に接続されている画像表示装置に映像信号を出力する。
【００２９】
データ記憶部２２は、磁気ハードディスク装置や半導体記憶装置などの記憶装置を用いて構成される。データ記憶部２２は、画像データテーブルを記憶する。図３は、画像データテーブルの具体例を示す図である。画像データテーブルは、伝達意味毎に本絵記号１２の画像データと付加絵記号１１の画像データとを対応付けたテーブルである。
【００３０】
制御部２３は、表示すべき伝達意味に対応する本絵記号１２の画像データ及び付加絵記号１１の画像データをデータ記憶部２２から読み出す。制御部２３は、読み出した本絵記号１２の画像データや付加絵記号１１の画像データを、時間の経過に応じて順に表示部２１に表示する。制御部２３が表示する伝達意味は、表示装置２０本体又は他の装置において実行中の他のプログラムによって指定された伝達意味であっても良いし、表示装置２０の管理者などによって指定された伝達意味であっても良い。また、日時などに応じて画像データテーブルに記録されている順に伝達意味が変わっても良い。
【００３１】
図４は、制御部２３による表示制御の具体例を示す図である。まず、制御部２３は、付加絵記号１１の画像データを表示する（図４の符号３１）。このとき制御部２３が表示する付加絵記号１１には、否定記号１１１は表示されない。否定記号１１１を伴わない状態での付加絵記号１１の表示を開始して所定時間が経過すると、制御部２３は、付加絵記号１１の表面に否定記号１１１を重ねて表示する（図４の符号３２）。否定記号１１１を伴う状態での付加絵記号１１の表示を開始して所定時間が経過すると、制御部２３は、本絵記号１２を表示する（図４の符号３３）。
【００３２】
このように、時間の経過と共に付加絵記号１１及び本絵記号１２の表示を行うことにより、第１実施形態と同様の効果を得ることができる。さらに、第２実施形態では、付加絵記号１１が表示されている表示領域と重複する領域に本絵記号１２を表示することが可能となる。そのため、第１実施形態に比べて、同じ大きさの絵記号を表示する場合に、より狭い領域で表示を行う事が可能となる。例えば、第１実施形態に比べて、同じ大きさの絵記号を表示する場合に半分の領域で表示を行う事が可能である。
【００３３】
＜変形例＞
制御部２３が行う表示の順序は図４に示される具体例に限定される必要は無い。例えば、図４に示される順と逆の順序であっても良い。また、制御部２３は、図４に示される符号３１に相当する表示（否定記号１１１を伴わない付加絵記号１１の表示）を行わなくとも良い。
【００３４】
以上、この発明の実施形態について図面を参照して詳述してきたが、具体的な構成はこの実施形態に限られるものではなく、この発明の要旨を逸脱しない範囲の設計等も含まれる。
【符号の説明】
【００３５】
１１…付加絵記号，  １２…本絵記号，  １１１…否定記号，  ２０…表示装置，  ２１…表示部，  ２２…データ記憶部，  ２３…制御部
【図１】
2013113960.tif 000003
【図２】
2013113960.tif 000004
【図３】
2013113960.tif 000005
【図４】
2013113960.tif 000006
【図５】
2013113960.tif 000007